(57)【要約】【課題】ハンドル装置の回転操作部と固定枠部との間の隙間に硬貨等のコインが差し込まれて回転操作部の回転が止められるのを阻止してハンドル固定行為を防止する。【解決手段】遊技機１０のハンドル装置２０は、遊技球の発射強度を調節するための回転操作部２６と、この回転操作部２６を回転可能に支持する固定枠部２５，２７とを備える。回転操作部２６と固定枠部２５，２７との間には、回転操作部２６の回転を円滑に行うための遊び隙間Ｓ１，Ｔ１が確保される。回転操作部２６および固定枠部２５，２７の少なくとも一方の外周部には、遊び隙間Ｓ１，Ｔ１の入口部分を遮蔽する障害壁７１，７２が設けられ、障害壁７１，７２と遊び隙間Ｓ１，Ｔ１の入口外壁７３，７４との間には、コインの厚みよりも広い幅の延長隙間Ｓ２，Ｔ２が設けられる。【選択図】図１０
2008284174.tif 000002
【特許請求の範囲】
【請求項１】
遊技球の発射強度を調節するための回転操作部と、
この回転操作部の回転軸方向に並設されて、前記回転操作部を回転可能に支持する固定枠部とを有するハンドル装置を備えた遊技機において、
前記ハンドル装置は、
前記回転操作部と前記固定枠部との間に、前記回転操作部の回転を円滑に行うための遊び隙間が確保され、前記回転操作部および前記固定枠部の少なくとも一方の外周部には、前記遊び隙間の入口部分を遮蔽する障害壁が設けられており、
かつ、前記障害壁と前記遊び隙間の入口外壁との間には、前記遊び隙間から延長される隙間であって、コインの厚みよりも広い幅に設定される延長隙間が設けられることを特徴とする遊技機。
【請求項２】
前記障害壁の壁面が、前記延長隙間の奥から外側に向けて離れる方向に傾斜し、かつ、前記延長隙間の最も狭い部分の隙間間隔がコインの厚みよりも広い幅に設定される、請求項１記載の遊技機。
【請求項３】
遊技球の発射強度を調節するための回転操作部と、
この回転操作部の回転軸方向に並設されて、前記回転操作部を回転可能に支持する固定枠部とを有するハンドル装置を備えた遊技機において、
前記ハンドル装置は、
前記回転操作部と前記固定枠部との間に、前記回転操作部の回転を円滑に行うための遊び隙間が確保され、前記回転操作部および前記固定枠部の少なくとも一方の外周部には、前記遊び隙間の入口部分に交叉する障害ピンがコインの直径よりも狭い間隔を保って周方向に並設されることを特徴とする遊技機。
【請求項４】
前記障害ピンと前記遊び隙間の入口外壁との間に、前記遊び隙間から延長される隙間であって、コインの厚みよりも広い幅に設定される延長隙間が設けられる、請求項３記載の遊技機。
【請求項５】
前記障害ピンの壁面が、前記延長隙間の奥から外側に向けて離れる方向に傾斜し、かつ、前記延長隙間の最も狭い部分の隙間間隔がコインの厚みよりも広い幅に設定される、請求項４または５記載の遊技機。
【発明の詳細な説明】
【技術分野】
【０００１】
本発明は、パチンコ機等の遊技機に関し、詳しくは、遊技機のハンドル装置にに関するものである。
【背景技術】
【０００２】
パチンコ機等の遊技機には、遊技領域に遊技球を発射するためのハンドル装置が取り付けられている。ハンドル装置は、遊技球の発射強度を調節するための回転操作部と、この回転操作部を回転可能に支持する固定枠部とから構成される。回転操作部の回転軸方向に固定枠部が並設されている。
【０００３】
ハンドル装置には、回転操作部と固定枠部とを連結する復帰バネが組み込まれる。遊技球の発射時には遊技者が復帰バネに抗して回転操作部を希望の回転角位置に保持する。遊技者が回転操作部から手を離すと、復帰バネによって回転操作部が停止位置に復帰して発射装置が発射動作を停止するようになっている。
【０００４】
なお、遊技機のハンドル装置に関連する先行技術としては、下記の特許文献が開示されている。
【０００５】
【特許文献１】実公昭５８−１０６３５号公報
【特許文献２】特開平１０−２５８１５４号公報
【特許文献３】特開２０００−１４８６８号公報
【発明の開示】
【発明が解決しようとする課題】
【０００６】
ところで、このようなハンドル装置付きの遊技機では、タバコの購入や食事休憩のために遊技機から離れる間、回転操作部が希望の回転位置から停止位置に戻るのを防ぐ目的で、あるいは回転操作部を長時間保持することによる疲労を軽減する目的で、遊技者が回転操作部と固定枠部との隙間に硬貨などのコインを無理に差し込んで、回転操作部を希望の回転位置に保ったまま固定することがある。
【０００７】
回転操作部と固定枠部との間には、円滑なハンドル操作のために遊びの隙間が持たせてあるが、上記のようなコインの差し込み行為を放置しておくと、ハンドル装置の故障の原因となったり、遊技時の不正行為を招くおそれがあり好ましくない。
【０００８】
これに対し、特許文献３に開示されるように、回転操作部と固定枠部との遊び隙間にコインが差し込まれるのを防止した遊技機が知られている。この種の遊技機では、遊び隙間の入口部分を遮蔽するように筒状の障害壁（「第１の裏側周壁部７１」，「第１の表側周壁部７５」）を設けてコインの差し込みを阻止している。
【０００９】
しかしながら、このような障害壁の構成では、回転操作部と固定枠部との遊び隙間にハンドル径方向からのコインの差し込みを防止することはできるが、障害壁と遊び隙間の入口外壁（隙間の入口外側で障害壁と向き合う壁）との間に、遊び隙間から延長されてハンドル軸方向に開口する新たな隙間（延長隙間）が形成されてしまい、この延長隙間にコインが差し込まれて回転操作部の回転が止められるおそれがある。このため、ハンドル固定に対する効果的な防止策とはならない。
【００１０】
本発明は、このような現状に鑑みなされたもので、ハンドル装置の回転操作部と固定枠部との間の隙間に硬貨等のコインが差し込まれて回転操作部の回転が止められるのを阻止することで、コインによるハンドル固定行為を防止するようにした遊技機を提供することを目的としている。
【課題を解決するための手段】
【００１１】
［第１発明］
前記課題を解決するための第１発明の遊技機は、
遊技球の発射強度を調節するための回転操作部と、
この回転操作部の回転軸方向に並設されて、前記回転操作部を回転可能に支持する固定枠部とを有するハンドル装置を備えた遊技機において、
前記ハンドル装置は、
前記回転操作部と前記固定枠部との間に、前記回転操作部の回転を円滑に行うための遊び隙間が確保され、前記回転操作部および前記固定枠部の少なくとも一方の外周部には、前記遊び隙間の入口部分を遮蔽する障害壁が設けられており、
かつ、前記障害壁と前記遊び隙間の入口外壁との間には、前記遊び隙間から延長される隙間であって、コインの厚みよりも広い幅に設定される延長隙間が設けられる構成とした。
【００１２】
このような構成によれば、回転操作部と固定枠部との間の遊び隙間の入口部分が障害壁で遮蔽されるため、遊び隙間に硬貨等のコインを挿入しようとしても、障害壁が邪魔になってコインの挿入ができなくなる。
また、障害壁と遊び隙間の入口外壁との間には、遊び隙間から延長される延長隙間が形成されることになるが、この隙間はコインの厚さよりも十分に広く設定されるため、コインを挿入することはできても、回転操作部の回転を止めることは困難となる。
この結果、回転操作部と固定枠部との間のいずれの隙間にも、コインを差し込んで回転操作部の回転を止めることができなくなり、コインによるハンドル固定の行為を効果的に防止することができる。
なお、第１発明において、「遊び隙間の入口外壁」とは、遊び隙間の入口外側で障害壁と向き合う壁を意味する。
【００１３】
［第２発明］
第１発明の構成において、障害壁による延長隙間がコインの厚みよりも十分に広い幅に設定されていても、延長隙間を挟む壁面が互いに向き合う平行な壁面である場合には、このような延長隙間にコインを重ねて入れたり、コイン以外の異物を押し込みやすくなってしまう。仮に、このような異物が延長隙間で安定した状態に保たれることがあれば、回転操作部の回転が止まることも想定される。
【００１４】
そこで、第２発明の遊技機は、前記第１発明の構成において、
前記障害壁の壁面が、前記延長隙間の奥から外側に向けて離れる方向に傾斜し、かつ、前記延長隙間の最も狭い部分の隙間間隔がコインの厚みよりも広い幅に設定される構成とした。
【００１５】
このような構成によれば、延長隙間がその奥から外側に向けて次第に拡がるように開口することになる。すなわち、延長隙間を挟む２つの壁面の間隔が一定の間隔ではなく、隙間の奥から外側へ行くにつれて広くなる。そして、延長隙間のうち最も狭い部分がコインの厚みよりも広い幅に設定されることになる。
これにより、延長隙間にコイン等の異物を挿入することはできても、これらの壁面の間に異物を保持することが困難になり、回転操作部の固定行為を防止することができる。
【００１６】
［第３発明］
前記課題を解決するための第３発明の遊技機は、
遊技球の発射強度を調節するための回転操作部と、
この回転操作部の回転軸方向に並設されて、前記回転操作部を回転可能に支持する固定枠部とを有するハンドル装置を備えた遊技機において、
前記ハンドル装置は、
前記回転操作部と前記固定枠部との間に、前記回転操作部の回転を円滑に行うための遊び隙間が確保され、前記回転操作部および前記固定枠部の少なくとも一方の外周部には、前記遊び隙間の入口部分に交叉する障害ピンがコインの直径よりも狭い間隔を保って周方向に並設される構成とした。
【００１７】
このような構成によれば、回転操作部と固定枠部との間の遊び隙間の入口部分が、周方向に並設された障害ピンで囲まれる。隣り合う障害ピンの間隔は、コインの直径よりも狭く設定されるため、遊び隙間にコインを挿入しようとしても、障害ピンが邪魔になってコインの挿入ができなくなる。
また、障害ピンと遊び隙間の入口外壁との間には、遊び隙間から延長される延長隙間が形成されることになるが、この延長隙間がコインの厚みに近いものであっても、障害ピンとコインとが周方向において一点で接触することになるため、延長隙間にコインを挟んで保持することは困難である。すなわち、延長隙間にコインを差し込んでも、コインの固定状態が安定せず、回転操作部の僅かな動きで直ぐに落下するものとなる。
この結果、回転操作部と固定枠部との間のいずれの隙間にも、コインを差し込んで回転操作部の回転を止めることができなくなり、コインによるハンドル固定の行為を効果的に防止することができる。
【００１８】
［第４発明］
第４発明の遊技機は、前記第３発明の構成において、
前記障害ピンと前記遊び隙間の入口外壁との間に、前記遊び隙間から延長される隙間であって、コインの厚みよりも広い幅に設定される延長隙間が設けられる構成とした。
【００１９】
このような構成によれば、障害ピンによる延長隙間がコインの厚みよりも十分に広い幅になっているため、延長隙間にコインを挿入することはできても、挟んで保持することができなくなる。これにより、延長隙間にコインを差し込んで回転操作部を止める行為をより確実に防止することができる。
なお、第２発明において、「遊び隙間の入口外壁」とは、遊び隙間の入口外側で障害ピンと向き合う壁を意味する。
【００２０】
［第５発明］
第５発明の遊技機は、前記第４発明の構成において、
前記障害ピンの壁面が、前記延長隙間の奥から外側に向けて離れる方向に傾斜し、かつ、前記延長隙間の最も狭い部分の隙間間隔がコインの厚みよりも広い幅に設定される構成とした。
【００２１】
このような構成によれば、第２発明と同様に、延長隙間がその奥から外側に向けて次第に拡がるように開口することになる。そして、延長隙間のうち最も狭い部分がコインの厚みよりも広い幅に設定されることになる。
これにより、延長隙間にコイン等の異物を挿入することはできても、挿入したまま保持することが困難になり、回転操作部の固定行為をさらに効果的に防止することができる。
【００２２】
［第１〜５発明］
第１〜５発明において「コイン」には、遊技者が通常所持している硬貨（１０円硬貨、１００円硬貨等）の他、遊技用メダルも含まれる。また、国外で用いられる硬貨やメダルも含む。本発明を実施する場合には、これらのコインのうち最小の直径と最大の厚みを基準にすると、コインによるハンドル固定防止の信頼性が高くなる。
第１〜５発明は、ハンドル装置を有する各種遊技機に適用することができる。例えば、パチンコ機、パチンコ球を使用したスロット遊技機、アレンジボール機、雀球遊技機等の遊技機に適用すると効果的である。
本発明（第１〜５発明）は、必要に応じて単独で適用してもよいし、各発明を組み合わせて適用してもよい。また、本明細書に記載される他の発明を組み合わせてもよい。
【発明を実施するための最良の形態】
【００２３】
以下、本発明の実施の形態を図面に基づいて説明する。本実施形態は、パチンコ機のハンドル装置に本発明を適用したものである。
［第１実施形態］
図１に示すように、パチンコ機１０は、ガラス枠１２の内側に遊技盤１３が設けられる。遊技盤１３の前面には、ほぼ円形の遊技領域が区画形成されており、この遊技領域の下部から左側端部にかけて遊技球を案内する案内レール１４が取り付けられている。
【００２４】
遊技領域の中央付近には、アニメーション等の抽選図柄を表示する図柄表示装置１５が設けられる。図柄表示装置１５の左右および下方には、遊技球の落下方向を変化させる誘導釘、風車等（図示省略）が設けられ、これらの遊技球の誘導路に、抽選図柄表示を開始させる始動口１６、一般入賞口１７、大当たり時に開閉して遊技球の入賞を促すアタッカ装置１８等が配置されている。
【００２５】
パチンコ機１０の右下位置にはハンドル装置２０が設けられる。パチンコ機１０の背面側であって、ハンドル装置２０と前後に重なる位置には、発射装置２１が設けられている。ハンドル装置２０の操作量に応じて発射装置２１から遊技球が案内レール１４に打ち出される。
【００２６】
パチンコ機１０の前面下部には、上皿２３と下皿２４が上下に並んで前側に突出形成される。上皿２３には、遊技者により発射装置２１の発射位置へ充填する遊技球が投入されるとともに、遊技領域で入賞して払い出された賞品球が回収される。下皿２４には、発射装置２１で発射されて遊技領域に至らなかったファール球や、上皿２３の満タン時の賞品球が回収されるようになっている。
【００２７】
ハンドル装置２０の詳細な構成を図２〜図７に示した。
図２はハンドル装置２０の外観を示す斜視図、図３は同装置の基本的な構成部品を前方側から観た分解斜視図、図４は同構成部品を後方側から観た分解斜視図、図５は同装置の組立分解斜視図、図６は同装置の内部構造を示す正面図、図７は同装置の断面図である。
【００２８】
図２〜図４に示すように、ハンドル装置２０は、その基本的な構成部品として、遊技機の下皿２３に取付けられるハンドル受け２５と、遊技者により回動される操作ハンドル２６と、前記操作ハンドル２６が抜け落ちることを防止するためのキャップ体２７とを備えている。操作ハンドル２６に回転軸方向の前後に、ハンドル受け２５とキャップ体２７とがそれぞれ連結される。操作ハンドル２６（回転操作部）が、ハンドル受け２５（固定枠部）およびキャップ体２７（固定枠部）により回転可能に支持されている。
【００２９】
ハンドル受け２５は、椀状の受け部本体３１（図４参照）の軸心部分に軸支持部３２が設けられた形態であり、受け部本体３１と軸支持部３２の軸心部分にはハンドル軸３３（図５〜７参照）が挿通される。
図５および図７に示すように、軸支持部３２には後ブッシュ３４が組み付けられ、受け部本体３１には前ブッシュ３５が組み付けられる。これらの後ブッシュ３４および前ブッシュ３５により、ハンドル軸３３が回転可能に支持される。
【００３０】
受け部本体３１における内側の上部と下部には、円柱状のキャップ体取付部３７が３本突設されている。受け部本体３１の内側には、これらのキャップ体取付部３７に干渉しない箇所に、タッチングモジュール４１、フック部材４２、ねじりコイルバネ４３、リミットスイッチ４４、発射停止レバー４５が組み付けられて前ブッシュ３５により固定される。
【００３１】
ハンドル受け２５に組み込まれる上記部品の位置関係を図６に示した。
図６に示すように、各キャップ体取付部３７の一方側（図６の図面視における右側）には、タッチングモジュール４１が取付けられていて、同じく他方側（左側）には、リミットスイッチ４４と、該リミットスイッチ４４を作動させるための発射停止レバー４５が、フック部材４２の支点ピン４２ａにより回動可能に取付けられる。３本のキャップ体取付部３７に囲まれた位置には、ねじりコイルバネ４３がハンドル軸３３に挿入された状態で取り付けられる。
【００３２】
タッチングモジュール４１は、ねじりコイルバネ４３を介して操作ハンドル２６と導通されており、遊技者が操作ハンドル２６に触れたときの静電容量の変化を検出して、発射装置２１の発射モータを作動させるという機能を有する。
【００３３】
リミットスイッチ４４は、発射装置の発射モータを一時停止させるという機能を有する。即ち、通常の遊技状態で、発射停止レバー４５は、リミットスイッチ４４の作動片４４ａによって押し戻されていて、発射停止レバー４５の先端部（押しボタン部４５ａ）は、受け部本体３１に形成された切欠部３１ａを介して受け部本体３１の外周面よりも外側に突出されている。このため、遊技者は、操作ハンドル２６を操作したまま発射停止レバー４５の押しボタン部４５ａを押すことができる。遊技中に、発射停止レバー４５の押しボタン部４５ａが押されると、リミットスイッチ４４が作動して、発射モータの回転が一時停止される。
【００３４】
受け部本体３１に組み付けられる前ブッシュ３５は、後ブッシュ３４と協働してハンドル軸３３を回転可能に支持する機能の他に、操作ハンドル２６とタッチングモジュール４１とを連結するねじりコイルバネ４３を支持する機能、およびタッチングモジュール４１とリミットスイッチ４４が落下しないように押さえるという機能を有している。
【００３５】
図５に示すように、前ブッシュ３５は、略円筒状のブッシュ本体５１の外周部分に、同心円状にして略円筒状のバネ支持部５２が設けられた形態であり、前記ブッシュ本体５１とバネ支持部５２との間には、ねじりコイルバネ４３を収容するためのバネ収容溝部５３が形成されている。バネ支持部５２の外周部分は、ねじりコイルバネ４３の奥側（装置側）のフック４３ａを通すために軸方向に切除され、この切除部分がフック通し部５２ａ（図６参照）となっている。
【００３６】
バネ支持部５２の奥側の端部には、タッチングモジュール４１を押さえるための２本の押え板５５，５５が、軸直角方向に所定の角度を保って、しかも、フック通し部５２ａに臨んで突設されている。
バネ支持部５２の手前側（遊技者側）の端部には、リミットスイッチ４４を押さえるための押え蓋５６が延設されている。押え蓋５６は、前ブッシュ３５の取付状態でリミットスイッチ４４のほぼ全体と、支点ピン４２ａの半分以上を押さえる（図６参照）。
【００３７】
図５および図６に示すように、ねじりコイルバネ４３の一端部（奥側の端部）は接線方向に延設されており、その先端部が略Ｕ字状に屈曲されて、フック４３ａとなっている。同じく他端部（手前側の端部）は、ほぼＵ字状に屈曲されて、フック４３ｂとなっている。ねじりコイルバネ４３は、軸心を前ブッシュ３５のブッシュ本体５１の軸心とほぼ合致させて、バネ収容溝部５３に収容される。この収容状態で、ねじりコイルバネ４３の奥側のフック４３ａは、バネ支持部５２のフック通し部５２ａを介して前ブッシュ３５の外部に飛び出しており（図６参照）、タッチングモジュール４１の端子に掛けられる。そして、バネ支持部５２から延設された上側の押え板５５との間に介装され、取付ねじ５７によって一体的に締め付けられる。この結果、ねじりコイルバネ４３がハンドル受け２５内で移動不能に保持される。
【００３８】
ねじりコイルバネ４３の手前側のフック４３ｂは、押え蓋５６よりも少し手前側に配置されており（図３参照）、ハンドル受け２５に操作ハンドル２６が取付けられた状態で、該操作ハンドル２６の裏面部に突設されたフック引掛部６１（図４参照）に引っ掛けられる。これにより、操作ハンドル２６には、ねじりコイルバネ４３のねじり力が作用する。
【００３９】
操作ハンドル２６は、ねじりコイルバネ４３のねじり力に抗して回動されるとともに、ねじり力によって元の回転位置に戻される。すなわち、図６に二点鎖線で示すように、遊技者が操作ハンドル２６をねじりコイルバネ４３のねじり力に逆らって時計回りに回転させると、その操作量に応じて発射装置による遊技球の打ち出し力が調節される。遊技者が操作ハンドル２６から手を離すと、ねじりコイルバネ４３がねじり力によって元の回転位置に復帰するようになっている。
なお、操作ハンドル２６を操作する際、ねじりコイルバネ４３は、前ブッシュ３５のバネ収容溝部５３に収容されてブッシュ本体５１にガイドされながら周方向にのみねじられるため、ねじりコイルバネ４３が周囲の他の部材に接触することはない。
【００４０】
図３および図４に示すように、操作ハンドル２６の外周面には、遊技者の指を当てがうための２個の指当て部６２，６２が設けられている。
操作ハンドル２６の裏面部（図４参照）には、ハンドル軸３３の端部を回り止め状態で連結するための連結ボス６３と、前述したフック引掛部６１とが突設されている。
操作ハンドル２６の内周壁面には、円弧状に２本の回動規制溝６４，６４が設けられている。これらの回動規制溝６４，６４により操作ハンドル２６の回転角度が一定範囲内に規制される。
【００４１】
操作ハンドル２６の表面には通電性を有するメッキ処理が施される。すなわち、合成樹脂製の操作ハンドル２６の表裏全体に亘ってメッキが施され、それゆえ、フック引掛部６１にもメッキがかかっている。これにより、操作ハンドル２６とタッチングモジュール４１とがねじりコイルバネ４３を介して電気的に接続される。そして、操作ハンドル２６を握ってその表面に接触する遊技者の手は、表面のメッキ層、操作ハンドル２６のフック引掛部６１、ねじりコイルバネ４３を介してタッチングモジュール４１の端子に電通される。
【００４２】
遊技者が操作ハンドル２６を握ると、タッチングモジュール４１が静電容量の変化を検出する。それによって、発射装置の発射モータが作動される。また、操作ハンドル２６を離すと、同様にタッチングモジュール４１が静電容量の変化を検出し、発射モータが停止されることになる。
【００４３】
キャップ体２７は、ハンドル受け２５に取付けられた操作ハンドル２６の落下を防止するためのもので、図４に示すように、その裏面部には、ハンドル受け２５の各キャップ体取付部３７に対応するねじ取付部６７が突設されている。各ねじ取付部６７は、操作ハンドル２６の回動規制溝６４に挿通された後、対応するキャップ体取付部３７に嵌め込まれ、ハンドル軸３３の後端側から挿通された取付ねじ（図示省略）によってハンドル受け２５に固定される。この状態で、操作ハンドル２６が各回動規制溝６４，６４の許容角度の分だけ回動可能となる。
【００４４】
次に、本発明の特徴部分の構成および作用を図８〜図１２に従って説明する。
図８はハンドル装置２０の側面図、図９は同装置の正面図、図１０は同装置の要部構成を示す模式断面図である。図１０では、本発明の特徴部分の構成を分かりやすくするため、ハンドル受け２５、操作ハンドル２６、キャップ体２７およびハンドル軸３３を関係を描き、説明上不要な構成部品を省略している。
【００４５】
図１０に示すように、ハンドル装置２０は、ハンドル受け２５と操作ハンドル２６とキャップ体２７とがハンドル軸方向（図１０で左右方向）に並んで配置される。ハンドル受け２５と操作ハンドル２６との間には、ハンドル軸方向に遊び隙間Ｓ１が確保され、操作ハンドル２６とキャップ体２７との間には、ハンドル軸方向に遊び隙間Ｔ１が確保される。これらの遊び隙間Ｓ１，Ｔ１は、ハンドル受け２５とキャップ体２７との間で操作ハンドル２６が円滑に回転可能になる隙間であり、０．５〜２ｍｍ程度に設定される。
【００４６】
ハンドル受け２５の外周端部には、遊び隙間Ｓ１の入口部分に対向する位置に後障害壁７１が形成される。キャップ体２７の外周端部には、遊び隙間Ｔ１の入口部分に対向する位置に前障害壁７２が形成される。
これらの障害壁７１，７２は、図８および図９に示すように、操作ハンドル２６の周方向に連続して形成されており、これらの先端が遊び隙間Ｓ１，Ｔ１の幅よりも外側の位置まで延びている。遊び隙間Ｓ１，Ｔ１の入口部分からそれぞれハンドル軸方向の後方および前方を臨むと、後障害壁７１および前障害壁７２で視線が遮られる。すなわち、後障害壁７１，前障害壁７２が遊び隙間Ｓ１，Ｔ１の入口部分を遮蔽するようにハンドル受け２５およびキャップ体２７の外周部に立ち上げられている。
【００４７】
後障害壁７１と遊び隙間Ｓ１の入口外壁７３との間には、遊び隙間Ｓ１から延長される隙間Ｓ２が設けられる。延長隙間Ｓ２は、ハンドル軸方向の遊び隙間Ｓ１の後方から後障害壁７１に沿ってハンドル径方向に開放する。
前障害壁７２と遊び隙間Ｔ１の入口外壁７４との間には遊び隙間Ｔ１から延長される隙間Ｔ２が設けられる。延長隙間Ｔ２は、ハンドル軸方向の遊び隙間Ｔ１の前方から前障害壁７２に沿ってハンドル径方向に開放する。
これらのハンドル径方向の延長隙間Ｓ２，Ｔ２は、硬貨等のコイン一枚の厚みよりも十分に広く、例えば３〜１０ｍｍ程度、望ましくは３〜５ｍｍ程度の幅に設定される。
【００４８】
後障害壁７１と前障害壁７２の延長隙間Ｓ２，Ｔ２を臨む壁面は、根元側から先端側に向けて延長隙間Ｓ２，Ｔ２が拡大する方向に傾斜している。つまり、延長隙間Ｓ２，Ｔ２は、操作ハンドル２６の周方向のどの部分においても、後障害壁７１および前障害壁７２の傾斜面７１ａおよび７２ａに沿って外向きに拡がる断面形状をなすことになる。
そして、延長隙間Ｓ２，Ｔ２のうち最も狭い奥の部分についても、コイン一枚の厚みよりも広く設定される。
【００４９】
遊技者が硬貨等のコインを用いて操作ハンドル２６を固定しようとする場合には、操作ハンドル２６の周辺の隙間にコインを差し込むことを試みる。
ハンドル装置２０の構成では、操作ハンドル２６とハンドル受け２５との間の遊び隙間Ｓ１にコインＣ１を挿入しようとしても、後障害壁７１が邪魔になる。また、操作ハンドル２６とキャップ体２７との間の遊び隙間Ｔ１にコインＣ２を挿入しようとしても、前障害壁７２が邪魔になる。この結果、遊び隙間Ｓ１，Ｔ１へのコインの差し込み行為が阻止されることになる。
【００５０】
また、操作ハンドル２６の前後の延長隙間Ｓ２，Ｔ２にコインＣ３，Ｃ４を差し込んで操作ハンドル２６の回転を止めようとしても、延長隙間Ｓ２，Ｔ２の幅がコインＣ３，Ｃ４の厚みに対して広すぎるため、コインＣ３，Ｃ４を延長隙間Ｓ２，Ｔ２で保持することができない。
【００５１】
また、後障害壁７１および前障害壁７２では、延長隙間Ｓ２，Ｔ２を臨む壁面が傾斜面７１ａ，７２ａとなっているため、数枚のコインを重ねたものやコイン以外の異物を延長隙間Ｓ２，Ｔ２に挿入しても、延長隙間Ｓ２，Ｔ２に安定して留めることができなくなる。特に、延長隙間Ｓ２，Ｔ２のうち最も狭い奥のコイン突当て部分についても、コイン一枚の厚みよりも広いから、このような部分にコインをかしめて留めるようなこともできない。  
【００５２】
この結果、操作ハンドル２６の周囲の遊び隙間Ｓ１，Ｔ１および延長隙間Ｓ２，Ｔ２にコインを差し込んで操作ハンドル２６の固定する行為を防止することができ、ハンドル装置２０への無理な負荷による故障や、遊技中の不正行為を未然に防止することができる。
【００５３】
［第２実施形態］
図１３〜図１５に第２実施形態を示した。
第２実施形態のハンドル装置８０は、第１実施形態とは異なるタイプのハンドル装置に障害壁８１，８２を設けたものである。
図１３はハンドル装置８０の正面図、図１４は同装置の要部構成を示す模式断面図、図１５は同装置の障害壁８１，８２の拡大図である。
第２実施形態においてハンドル装置８０の基本的な構成および作用は、第１実施形態と同一であり、共通する構成部分には同一の符号を付している。
【００５４】
図１３に示すように、ハンドル装置８０では、ハンドル受け２５と操作ハンドル２６とキャップ体２７とがハンドル軸方向（図１４で左右方向）に並んで配置される。ハンドル受け２５と操作ハンドル２６との間には、ハンドル径方向に遊び隙間Ｓ１が確保され、操作ハンドル２６とキャップ体２７との間には、ハンドル軸方向に遊び隙間Ｔ１が確保される。これらの遊び隙間Ｓ１，Ｔ１は、ハンドル受け２５とキャップ体２７との間で操作ハンドル２６が円滑に回転可能になる隙間であり、０．５〜２ｍｍ程度に設定される。
【００５５】
図１５に示すように、ハンドル受け２５の外周端部には、遊び隙間Ｓ１の入口部分に対向する位置に後障害壁８１が形成される。キャップ体２７の外周端部には、遊び隙間Ｔ１の入口部分に対向する位置に前障害壁８２が形成される。
これらの障害壁８１，８２は、操作ハンドル２６の周方向に連続して形成されており（図１３参照）、これらの先端が遊び隙間Ｓ１，Ｔ１の幅よりも外側の位置まで延びる。すなわち、後障害壁８１，前障害壁８２が遊び隙間Ｓ１，遊び隙間Ｔ１の入口部分を遮蔽するようにハンドル受け２５およびキャップ体２７の外周部に立ち上げられている。
【００５６】
後障害壁８１と遊び隙間Ｓ１の入口外壁８３との間には、遊び隙間Ｓ１から延長される隙間Ｓ２が設けられる。延長隙間Ｓ２は、ハンドル径方向の遊び隙間Ｓ１の後方から後障害壁８１に沿ってハンドル軸方向に開放する。
前障害壁８２と遊び隙間Ｔ１の入口外壁８４との間には遊び隙間Ｔ１から延長される隙間Ｔ２が設けられる。延長隙間Ｔ２は、ハンドル軸方向の遊び隙間Ｔ１の前方から前障害壁９２に沿ってハンドル径方向に開放する。
これらの延長隙間Ｓ２，Ｔ２は、硬貨等のコイン一枚の厚みよりも十分に広く、例えば３〜１０ｍｍ程度、望ましくは３〜５ｍｍ程度の幅に設定される。
【００５７】
後障害壁８１と前障害壁８２の延長隙間Ｓ２，Ｔ２を臨む壁面は、根元側から先端側に向けて延長隙間Ｓ２，Ｔ２が拡大する方向に傾斜している。つまり、延長隙間Ｓ２，Ｔ２は、操作ハンドル２６の周方向のどの部分においても、後障害壁８１および前障害壁８２の傾斜面８１ａおよび８２ａに沿って外向きに拡がる断面形状をなしている。
そして、延長隙間Ｓ２，Ｔ２のうち最も狭い奥の部分についても、コイン一枚の厚みよりも広く設定される。
【００５８】
第２実施形態のハンドル装置８０によれば、操作ハンドル２６とハンドル受け２５との間の遊び隙間Ｓ１にコインＣ１を挿入しようとしても、後障害壁８１が邪魔になる。また、操作ハンドル２６とキャップ体２７との間の遊び隙間Ｔ１にコインＣ２を挿入しようとしても、前障害壁８２が邪魔になる。
【００５９】
また、操作ハンドル２６の前後の延長隙間Ｓ２，Ｔ２にコインＣ３，Ｃ４を差し込んで操作ハンドル２６の回転を止めようとしても、延長隙間Ｓ２，Ｔ２の幅がコインＣ３，Ｃ４の厚みに対して広すぎるため、コインＣ３，Ｃ４を延長隙間Ｓ２，Ｔ２で保持することができない。
【００６０】
また、後障害壁８１および前障害壁８２では、延長隙間Ｓ２，Ｔ２を臨む壁面が傾斜面８１ａ，８２ａとなっているため、数枚のコインを重ねたものやコイン以外の異物を延長隙間Ｓ２，Ｔ２に挿入しても、延長隙間Ｓ２，Ｔ２に安定して留めることができない。そして、延長隙間Ｓ２，Ｔ２のうち最も狭い奥のコイン突当て部分についても、コイン一枚の厚みよりも広いから、このような部分にコインをかしめて留めるようなこともできない。  
【００６１】
この結果、操作ハンドル２６の周囲のいずれの遊び隙間Ｓ１，Ｔ１およびＳ２，Ｔ２にもコインを差し込んで操作ハンドル２６を固定する行為を防止することができ、ハンドル装置８０への無理な負荷による故障や、遊技中の不正行為を未然に防止することができる。
【００６２】
［第３実施形態］
図１６〜図２０に第３実施形態を示した。
第３実施形態のハンドル装置９０は、障害壁に代えて、障害ピンを採用したものである。
図１６はハンドル装置９０の分解斜視図、図１７は同装置の正面図、図１８は同装置の要部構成を示す模式断面図、図１９および図２０は同装置の障害ピン９１，９２の拡大図である。
第３実施形態においてハンドル装置９０の基本的な構成および作用は、第１実施形態と同一であり、共通する構成部分には同一の符号を付している。
【００６３】
図１８に示すように、ハンドル装置８０は、ハンドル受け２５と操作ハンドル２６とキャップ体２７とがハンドル軸方向（図１８で左右方向）に並んで配置される。ハンドル受け２５と操作ハンドル２６との間には、ハンドル径方向に遊び隙間Ｓ１が確保され、操作ハンドル２６とキャップ体２７との間には、ハンドル径方向に遊び隙間Ｔ１が確保される。これらの遊び隙間Ｓ１，Ｔ１は、ハンドル受け２５とキャップ体２７との間で操作ハンドル２６が円滑に回転可能になる隙間であり、０．５〜２ｍｍ程度に設定される。
【００６４】
操作ハンドル２６の前面および背面の外周部には、障害ピン９１，９２が突き出している。障害ピン９１，９２は、周方向に一定の間隔保って並んでおり（図１７参照）、各ピンの太さと高さはほぼ一定である。周方向に隣り合うピン同士の間隔は、硬貨等のコインの直径よりも狭く設定される。
【００６５】
操作ハンドル２６の後方に突出する後障害ピン９１は、遊び隙間Ｓ１の入口部分に対向する位置に延びる。操作ハンドル２６の前方に突出する前障害ピン９２は、遊び隙間Ｔ１の入口部分に対向する位置に延びる。すなわち、後障害ピン９１および前障害ピン９２は、遊び隙間Ｓ１，Ｔ１と交叉する位置関係にある。
【００６６】
図１９に示すように、後障害ピン９１と遊び隙間Ｓ１の入口外壁９３との間には、遊び隙間Ｓ１から延長される隙間Ｓ２が設けられる。延長隙間Ｓ２は、ハンドル径方向の遊び隙間Ｓ１の後方から後障害ピン９１に沿ってハンドル軸方向に開放する。
前障害ピン９２と遊び隙間Ｔ１の入口外壁９４との間には、遊び隙間Ｔ１から延長される隙間Ｔ２が設けられる。延長隙間Ｔ２は、ハンドル径方向の遊び隙間Ｔ１の前方から前障害ピン９２に沿ってハンドル軸方向に開放する。
これらの延長隙間Ｓ２，Ｔ２は、硬貨等のコイン一枚の厚みよりも十分に広く、例えば３〜１０ｍｍ程度、望ましくは３〜５ｍｍ程度の幅に設定される。
【００６７】
第３実施形態のハンドル装置９０によれば、操作ハンドル２６とハンドル受け２５との間の遊び隙間Ｓ１にコインＣ１を挿入しようとしても、後障害ピン９１が邪魔になって遊び隙間Ｓ１にコインＣ１を入れることができない。
また、操作ハンドル２６とキャップ体２７との間の遊び隙間Ｔ１に、コインＣ２を挿入しようとしても、前障害ピン９２が邪魔になって延長隙間Ｓ２にもコインＣ２を差し込むことができない。
また、図１７に示すように、周方向に隣り合う２本の後障害ピン９１または前障害ピン９２の間から遊び隙間Ｓ１またはＴ１にコインを挿入しようとしても、コインはピンとピンの間を通過して隙間Ｓ１，Ｔ１に到達することができないため、これらのピンの間から隙間Ｓ１，Ｔ１にコインを挿入することもできない。
【００６８】
さらに、延長隙間Ｓ２，Ｔ２にコインＣ３，Ｃ４を差し込んで操作ハンドル２６の動きを止めようとしても、延長隙間Ｓ２，Ｔ２の幅がコインの厚みに対して広すぎるため、延長隙間Ｓ２，Ｔ２でコインＣ３，Ｃ４を保持することができず、操作ハンドル２６の回転位置を固定することが困難となる。
【００６９】
この結果、第３実施形態のハンドル装置９０によっても、操作ハンドル２６の周囲の遊び隙間Ｓ１，Ｔ１およびＳ２，Ｔ２にコインを差し込んで操作ハンドル２６の固定する行為を防止することができる。
【００７０】
ここで、第３実施形態の障害ピン９１，９２を採用する場合、周方向に隣り合う２本のピンとキャップ体２７との位置関係によっては、ピンの間にコインを架け渡して差し込むことが可能となる。
しかしながら、図２０（Ａ）に示すように、第３実施形態では、２本のピンの間にキャップ体２７の円弧部分が接近するように障害ピン９１，９２が配列されている。すなわち、キャップ体２７の円弧部分の曲率が大きく、その曲がり具合が大きくなって２本のピンの間に向けて膨らむように形成されている。
これにより、隣り合う２本の障害ピン９１，９２に架け渡すようにコインＣ５を挿入しようとしても、コインＣ５の厚みが邪魔してこれらの延長隙間Ｓ２，Ｔ２に真っ直ぐな状態で差し入れる余裕が存在せず、このような架け渡し行為が防止される。
【００７１】
また、図２０（Ｂ）に示すように、障害ピン９１，９２の高さは、コインＣ６の半径よりも十分に短く設定される。このため、２本のピンの間にコインを架け渡そうとしても、コインＣ６の先端のみが操作ハンドル２６に当接して、隣り合う２個の延長隙間Ｓ２，Ｔ２にコインの両端部を同時に差し込むことができない。この結果、前述したような２本のピンへのコインの架け渡し行為がより確実に防止される。
【００７２】
［第４実施形態］
図２１〜図２３に第４実施形態を示した。
第４実施形態のハンドル装置１００は、第３実施形態と同様なハンドル装置の障害ピンに傾斜面を設けたものある。
図２１はハンドル装置１００の正面図、図２２は同装置の要部構成を示す模式断面図、図２３は同装置の障害ピン９１，９２の拡大図である。
第４実施形態においてハンドル装置１００の基本的な構成および作用は、第３実施形態と同一であり、共通する構成部分には同一の符号を付している。
【００７３】
図２２および図２３に示すように、ハンドル装置１００は、後障害ピン９１と前障害壁９２の延長隙間Ｓ２，Ｔ２を臨む壁面が、根元側から先端側に向けて延長隙間Ｓ２，Ｔ２を拡大する方向に傾斜している。つまり、延長隙間Ｓ２，Ｔ２は、操作ハンドル２６の周方向のどの位置においても、後障害ピン９１および前障害ピン９２の傾斜面９１ａおよび９２ａに沿って外向きに拡がる断面形状をなしている。
そして、延長隙間Ｓ２，Ｔ２のうち最も狭い奥の部分についても、コイン一枚の厚みよりも広く設定される。
【００７４】
図２３に示すように、後障害ピン９１と前障害壁９２ピンの先端には、傾斜面９１ａおよび９２ａに連なるほぼ半円形の部分に平坦面９１ｂ，９２ｂが形成される。これらの平坦面９１ｂ，９２ｂは、遊技者の手を保護するために面取りされたものである。
【００７５】
第４実施形態のハンドル装置１００によれば、第３実施形態と同様に、障害ピン９１，９２が邪魔になって操作ハンドル２６の前後の遊び隙間Ｓ１，Ｔ１にコインＣ１，Ｃ２を挿入することができない。
【００７６】
また、後障害ピン９１および前障害ピン９２では、延長隙間Ｓ２，Ｔ２を臨む壁面が傾斜面９１ａ，９２ａとなっているため、数枚にコインを重ねたものやコイン以外の異物を延長隙間Ｓ２，Ｔ２に挿入しても、延長隙間Ｓ２，Ｔ２に保持することが困難となる。そして、延長隙間Ｓ２，Ｔ２のうち最も狭い奥のコイン突当て部分についても、コイン一枚の厚みよりも広いから、このような部分にコインをかしめて留めるようなこともできない。  
さらに、周方向に隣り合う２本のピンにコインを架け渡そうとしても、各ピンの位置と高さが第３実施形態と同様な構成になっているため、このような架け渡し行為もできない。
【００７７】
この結果、操作ハンドル２６の周囲の遊び隙間Ｓ１，Ｔ１およびＳ２，Ｔ２にコインを差し込んで操作ハンドル２６を固定する行為をさらに効果的に防止することができる。
【００７８】
［その他の実施形態］
以上、第１〜第４の実施形態を説明したが、本発明の実施形態は、これらに限定されることなく、種々の変更を伴ってもよい。
例えば、第１および第２実施形態では、ハンドル外周部に障害壁を連続して設ける構成としたが、障害壁に切欠きを設けるようにしてもよい。この場合、切欠きの広さは、コインが挿入できない広さとする。
また、第３および第４実施形態において、障害ピン９１，９２による延長隙間Ｓ２，Ｔ２をさらに拡大してもよいし、障害ピン９１，９２のピン間隔を適宜変更してピンの本数を増減してもよい。ピンの太さや長さを変更することもできる。
【００７９】
さらに、第４実施形態では、障害ピン９１，９２に平坦な傾斜面９１ａ，９２ａが設けられるが、障害ピン９１，９２の外周形状を円錐面とすることで傾斜を付けるようにしてもよい。
さらに、第１〜第４の実施形態では、メッキを施した合成樹脂で操作ハンドルを形成しているが、操作ハンドルを金属と合成樹脂とを組み合わせて形成してもよい。この場合、例えば障害ピン９１，９２および操作ハンドル２６の内部を金属とし、操作ハンドル２６の外表部を合成樹脂とすることで、障害ピン９１，９２の強度を高めることができる。
【図面の簡単な説明】
【００８０】
【図１】本発明の第１実施形態による遊技機を示す正面図である。
【図２】同遊技機のハンドル装置を示す斜視図である。
【図３】同ハンドル装置の回転操作部（操作ハンドル）および固定枠部（ハンドル受け、キャップ体）を示す前方分解斜視図である。
【図４】同ハンドル装置の回転操作部（操作ハンドル）および固定枠部（ハンドル受け、キャップ体）を示す後方分解斜視図である。
【図５】同ハンドル装置を示す組立分解斜視図である。
【図６】同ハンドル装置のハンドル受けを示す正面図である。
【図７】同ハンドル装置を示す断面図である。
【図８】同ハンドル装置を示す側面図である。
【図９】同ハンドル装置を示す正面図である。
【図１０】同ハンドル装置の要部構成を示す図９の［10］−［10］線模式断面図である。
【図１１】同ハンドル装置の障害壁を示す部分拡大断面図である。
【図１２】同ハンドル装置の障害壁の作用を説明するための部分断面図である。
【図１３】本発明の第２実施形態による遊技機のハンドル装置を示す正面図である。
【図１４】同ハンドル装置の要部構成を示す図１３の［14］−［14］線模式断面図である。
【図１５】同ハンドル装置の障害壁の作用を説明するための部分断面図である。
【図１６】本発明の第３実施形態による遊技機のハンドル装置を示す前方分解斜視図である。
【図１７】同ハンドル装置を示す正面図である。
【図１８】同ハンドル装置の要部構成を示す図１７の［18］−［18］線模式断面図である。
【図１９】同ハンドル装置の障害ピンの作用を説明するための部分断面図である。
【図２０】同ハンドル装置の障害ピンの作用を説明するもので、（Ａ）は同障害ピンの部分拡大平面図、（Ｂ）は同障害ピンの部分拡大側面図である。
【図２１】本発明の第４実施形態による遊技機のハンドル装置を示す正面図である。
【図２２】同ハンドル装置の要部構成を示す図２１の［22］−［22］線模式断面図である。
【図２３】同ハンドル装置の障害ピンの作用を説明するための部分断面図である。
【符号の説明】
【００８１】
１０    遊技機
２０    第１実施形態のハンドル装置
２５    ハンドル受け（固定枠部）
２６    操作ハンドル（回転操作部）
２７    キャップ体（固定枠部）
３３    ハンドル軸
７１    後障害壁（障害壁）
７２    前障害壁（障害壁）
７３，７４  入口外壁
７１ａ，７２ａ  傾斜面
８０    第２実施形態のハンドル装置
８１    後障害壁（障害壁）
８２    前障害壁（障害壁）
８３，８４  入口外壁
８１ａ，８２ａ  傾斜面
９０    第３実施形態のハンドル装置
９１    後障害ピン（障害ピン）
９２    前障害ピン（障害ピン）
９３，９４  入口外壁
１００    第４実施形態のハンドル装置
９１ａ，９２ａ  傾斜面
Ｓ１，Ｔ１  遊び隙間
Ｓ２，Ｔ２  延長隙間
【図１】
2008284174.tif 000003
【図２】
2008284174.tif 000004
【図３】
2008284174.tif 000005
【図４】
2008284174.tif 000006
【図５】
2008284174.tif 000007
【図６】
2008284174.tif 000008
【図７】
2008284174.tif 000009
【図８】
2008284174.tif 000010
【図９】
2008284174.tif 000011
【図１０】
2008284174.tif 000012
【図１１】
2008284174.tif 000013
【図１２】
2008284174.tif 000014
【図１３】
2008284174.tif 000015
【図１４】
2008284174.tif 000016
【図１５】
2008284174.tif 000017
【図１６】
2008284174.tif 000018
【図１７】
2008284174.tif 000019
【図１８】
2008284174.tif 000020
【図１９】
2008284174.tif 000021
【図２０】
2008284174.tif 000022
【図２１】
2008284174.tif 000023
【図２２】
2008284174.tif 000024
【図２３】
2008284174.tif 000025